(57)【要約】      （修正有）【課題】長尺状又は枚葉状用紙へのフィルムによるラミネートに際して皴や破れの発生等のないラミネート方法を提供する。【解決手段】用紙搬送経路に沿って少なくとも一対の被動ヒートローラ２ａ、２ｂと少なくとも一対の駆動ニップローラ３ａ、３ｂを各々上流及び下流に配置し、搬送経路に沿って連続的に供給される長尺状用紙Ｓ１を、その少なくとも片面にフィルムＧを連続的に供給し、整合させながら、前記被動ヒートローラ間に加圧・加熱下に通過させると共にそれらの通過により該被動ヒートローラを回転駆動させるようにし、前記被動ヒートローラ間を通過して、少なくとも片面にフィルムＧがラミネートされた前記長尺状用紙Ｓ１を、前記駆動ニップローラにより、前記被動ヒートローラを回転駆動させつつ後の次工程へと牽引し、排出させるようにしたことを特徴とする。【選択図】図１
2010000786.tif 000002
【特許請求の範囲】
【請求項１】
用紙搬送経路に沿って少なくとも一対の被動ヒートローラと少なくとも一対の駆動ニップローラを各々上流及び下流に配置し、搬送経路に沿って連続的に供給される長尺状用紙を、その少なくとも片面にフィルムを連続的に供給し、整合させながら、前記被動ヒートローラ間に加圧・加熱下に通過させると共にそれらの通過により該被動ヒートローラを回転駆動させるようにし、前記被動ヒートローラ間を通過して、少なくとも片面にフィルムがラミネートされた前記長尺状用紙を、前記駆動ニップローラにより、前記被動ヒートローラを回転駆動させつつ後の次工程へと牽引し、排出させるようにしたことを特徴とするラミネート方法。
【請求項２】
少なくとも一方の側端にマージナル孔を設けた長尺状用紙を使用し、該長尺状用紙が、そのマージナル孔をピン送り機構のピンと係合させて前記被動ヒートローラへと搬送されるようにした請求項１に記載のラミネート方法。
【請求項３】
用紙搬送経路に沿って少なくとも一対の被動ヒートローラと少なくとも一対の駆動ニップローラを各々上流及び下流に配置し、搬送経路に沿って１枚ごとに連続的に供給される枚葉状用紙を、その少なくとも片面にフィルムを連続的に供給し、整合させながら、前記被動ヒートローラ間に加圧・加熱下に通過させると共にそれらの通過により該被動ヒートローラを回転駆動させるようにし、前記被動ヒートローラ間を通過して、少なくとも片面にフィルムがラミネートされると共にそれによって長尺状態に連結された前記枚葉状用紙を、前記駆動ニップローラにより、前記被動ヒートローラを回転駆動させつつ後の次工程へと牽引し、排出させるようにしたことを特徴とするラミネート方法。
【発明の詳細な説明】
【技術分野】
【０００１】
本発明は、雑誌や書籍の表紙、ポスターやパンフレット等の印刷物、名刺や葉書等のカード類等の表面にフィルムをラミネートすることにより、それらの表面や外観を保護、強化し、耐久性を持たせると共に、それらの表面に光沢を付与することにより美観を向上せしめるために有用なラミネート方法に関する。また、本発明は、折り畳まれ或いは切り離されて複数層に重ね合わされた葉片が剥離可能に積層された葉書その他の情報通信体の製造に際して、対向葉片の各対向面に疑似接着フィルム等をラミネートするために有用なラミネート方法に関する。
【背景技術】
【０００２】
従来、印刷物の表面に光沢を付与すると共に美観や耐久性を向上させる手段として、印刷物の表面をフィルムでラミネートするラミネート法が普及し、該ラミネート法としてドライラミネートやサーマルラミネート等の方法が採用されている。これらは業界でプリントラミネートと総称され、例えばオフセット印刷等で印刷を施された枚葉状用紙が１枚ごとに連続的に繰り出されると共に各用紙の表面が連続的に繰り出されるフィルムで順次ラミネートされるものである。
【０００３】
また、最近は、オフセット印刷等で枚葉状用紙を印刷する手法以外に、輪転印刷やフォーム印刷等のように長尺状用紙を高速印刷する手法が盛んに利用されるため、長尺状用紙をフィルムで効果的にラミネートする必要性が発生している。
【０００４】
ところで、本発明者等は、特開２０００−１６８２７３号公報の「情報通信体の製造方法及び製造装置」中に、連続フォーム用紙からなる長尺状用紙を疑似接着フィルムで連続的にラミネートする方法を開示している。この製造方法におけるラミネート工程では、最初に上側のロールＡから繰り出した疑似接着フィルム１２ａを上流のヒートローラ１１ａ、１１ｂで長尺状用紙Ｓ1と整合させつつ該用紙Ｓの表面にラミネートし、続いて、下側のロールＢから繰り出される疑似接着フィルム１２ｂを下流のヒートローラ１５ａ、１５ｂで前記長尺状用紙Ｓと整合させつつ該用紙Ｓの裏面にラミネートし、さらに下流に待機させた第三のヒートローラ１６ａ、１６ｂで前記疑似接着フィルム１２ａ、１２ｂと用紙Ｓの表裏面との各接着を確実にするように、合計三対のヒートローラが配置され、そのような構成のラミネート工程によって、長尺状用紙のフィルムによるラミネートを含む情報通信体の製造を可能としている。
【先行技術文献】
【特許文献】
【０００５】
【特許文献１】特開２０００−１６８２７３号公報
【発明の概要】
【発明が解決しようとする課題】
【０００６】
加圧状態にある一対のヒートローラでは、本来、何らかの方策を講じない限りニップ圧が幅方向に完全に均一に掛かることはなく、前記のように長尺状又は枚葉状用紙をフィルムで連続的にラミネートするラミネート工程では、該用紙がヒートローラを通過する際に、その不均一なニップ圧に起因して進行方向が僅かに偏位することが知られている。このような用紙の進行方向の偏位は、その進行に伴って徐々に蓄積されて、最終的に用紙をそれにラミネートされたフィルムと共にヒートローラからその軸方向にはみ出させ、或いは用紙をそれにラミネートされたフィルムと共に左右に激しく蛇行させて、用紙やそれにラミネートされたフィルムに著しい皴や破れを発生させる。前記問題は、特に長尺状用紙を用いる場合に顕著となるが、枚葉状用紙を用いる場合にも、これらの用紙がフィルムの連続的なラミネートにより長尺状に連結されることから、同様の問題を生じることがある。即ち、現状では、長尺状又は枚葉状用紙をフィルムで正確に美しく、連続的にラミネートすることは不可能である。
【０００７】
本発明は、このような長尺状又は枚葉状用紙へのフィルムによるラミネートに付随する進行方向の偏位や皴、破れ等の発生の各種問題を解決し、長尺状又は枚葉状用紙とフィルムを連続的に正確に整合させつつ該用紙をフィルムでラミネートすることが可能なラミネート方法を提供することを目的としている。
【課題を解決するための手段】
【０００８】
上記目的を達成するために、本発明に係るラミネート方法は、用紙搬送経路に沿って少なくとも一対の被動ヒートローラと少なくとも一対の駆動ニップローラを各々上流及び下流に配置し、搬送経路に沿って連続的に供給される長尺状用紙を、その少なくとも片面にフィルムを連続的に供給し、整合させながら、前記被動ヒートローラ間に加圧・加熱下に通過させると共にそれらの通過により該被動ヒートローラを回転駆動させるようにし、前記被動ヒートローラ間を通過して、少なくとも片面にフィルムがラミネートされた前記長尺状用紙を、前記駆動ニップローラにより、前記被動ヒートローラを回転駆動させつつ後の次工程へと牽引し、排出させるようにしたことを特徴としている。
【０００９】
前記ラミネート方法に使用される長尺状用紙には、必要に応じて、少なくとも一方の側端、好ましくは両側端にマージナル孔を設けてもよく、その場合、該長尺状用紙が、そのマージナル孔をピントラクタやスプロケット等のピン送り機構のピンと係合させつつ正確に位置合わせされた状態で、前記ラミネート工程へと搬送されるように構成することができる。
【００１０】
また、上記目的を達成するために、本発明に係る別例のラミネート方法は、用紙搬送経路に沿って少なくとも一対の被動ヒートローラと少なくとも一対の駆動ニップローラを各々上流及び下流に配置し、搬送経路に沿って１枚ごとに連続的に供給される枚葉状用紙を、その少なくとも片面にフィルムを連続的に供給し、整合させながら、前記被動ヒートローラ間に加圧・加熱下に通過させると共にそれらの通過により該被動ヒートローラを回転駆動させるようにし、前記被動ヒートローラ間を通過して、少なくとも片面にフィルムがラミネートされると共にそれによって長尺状態に連結された前記枚葉状用紙を、前記駆動ニップローラにより、前記被動ヒートローラを回転駆動させつつ後の次工程へと牽引し、排出させるようにしたことを特徴としている。
【００１１】
前記構成のラミネート工程によれば、前記被動ヒートローラを通過して、少なくとも片面にフィルムがラミネートされた長尺状又は枚葉状用紙を駆動ニップローラにより強制的に牽引することにより、被動ヒートローラの幅方向における不均一なニップ圧に起因する前記用紙の進行方向の偏位や蛇行等が抑制され、該用紙の進行方向に対して確固たる方向性を与えることが可能になる。
【００１２】
前記ラミネート工程において、長尺状用紙が、既述のように、そのマージナル孔をピン送り機構のピンと係合させつつ正確に位置合わせされた状態で搬送される場合、該長尺状用紙は、被動ヒートローラへの進入前における前記ピン送り機構による正確な位置決めと、被動ヒートローラの後における駆動ニップローラによる強制的な牽引との相乗作用により、被動ヒートローラの幅方向に不均一なニップ圧が生じていても、進行方向の偏位や蛇行等なしに、より安定した方向性を確保して移送されるので、用紙やそれにラミネートされたフィルムに皴や破れ等が発生せず、さらにフィルムが所要の接着予定面に位置ずれなく高精度にラミネートされる。
【発明の効果】
【００１３】
前記のように、本発明に係るラミネート方法によれば、長尺状又は枚葉状用紙へのフィルムのラミネート時に、用紙の進行方向の偏位や蛇行等が発生しないため、該用紙やフィルムに皴や破れが生じることなく、フィルムが厳密に位置決めされた状態でラミネートされ、ラミネート工程以降の下流の諸工程も不良品を生じずに円滑に進行することになり、生産性の向上に寄与すると共に平滑で美しいラミネート効果が得られるものである。
【図面の簡単な説明】
【００１４】
【図１】図１は、本発明に係る長尺状用紙用ラミネート方法を説明する要部概略図である。
【図２】図２は、本発明に係る別態様の長尺状用紙用ラミネート方法を説明する要部概略図である。
【図３】図３は、本発明で使用可能な長尺状用紙の表面図である。
【図４】図４は、本発明で使用可能なフィルムの断面図である。
【図５】図５は、本発明に係る枚葉状用紙用ラミネート方法を説明する要部概略図である。
【発明を実施するための形態】
【００１５】
以下、本発明の実施の形態を図面に基づいて具体的に説明する。
［長尺状用紙を用いた場合］
本実施例における長尺状用紙Ｓ1としては、図３に示すように、両外側にマージナル孔４を設けたものが一例として使用される。また、フィルムＧとしては、図４に示すように、例えばポリプロピレンやポリエチレンテレフタレートのような基材５１の一方の面に公知の感熱接着剤層５２を形成してなるものが一例として使用される。
【００１６】
なお、本発明に使用されるフィルムの材質や層構成等に特別の制限はなく、ラミネートの目的等に応じて適宜選択される。例えば、用紙の対向葉片を剥離可能に疑似接着させて、受け取り後に剥離展開される多層葉書その他の情報通信体を製造するような場合に、該対向葉片の各対向面にその両方の葉片においてラミネートされるフィルムとしては、例えば前記基材５１の一方の面に感熱接着剤層５２を形成すると共に他方の面に公知の疑似接着層を形成してなるものが使用されてもよく、また前記対向葉片を剥離不能に接着させる必要がある場合は、該対向葉片の各対向面にその一方又は両方の葉片においてラミネートされるフィルムとして、例えば前記基材５１の一方の面に感熱接着剤層５２を形成すると共に他方の面に高溶着性の完全接着層を形成してなる完全接着フィルムが使用されてもよい。
【００１７】
図１において、前記長尺状用紙Ｓ1が、同図左下側より供給され、そのマージナル孔４をピントラクタ１の各ピンに合致させながら下流へと搬送される。ピントラクタ１の下流には一対の被動ヒートローラ２ａ、２ｂがラミネートローラとして配置され、長尺状用紙Ｓ1はそれらの間を通過させられる。被動ヒートローラ２ａ、２ｂ間への長尺状用紙Ｓ1の通過に際して、被動ヒートローラ２ａには上方に待機したロールから繰り出された前記フィルムＧが長尺状用紙Ｓ1の表面と整合されながら送り込まれると共に被動ヒートローラ２ｂには下方に待機したロールから繰り出されたフィルムＧが長尺状用紙Ｓ1の裏面と整合されながら送り込まれる。
【００１８】
このように、上下方向から送り込まれたフィルムＧは、長尺状用紙Ｓ1の表裏面と整合されながら被動ヒートローラ２ａ、２ｂ間を加熱且つ加圧されつつ通過し、それによってフィルムＧがその感熱接着剤層５２を介して長尺状用紙Ｓ1の表裏面に各々接着されると共にラミネートされる。
【００１９】
なお、前記のように、上方の被動ヒートローラ２ａにより長尺状用紙Ｓ1の表面をラミネートする場合は、下方の被動ヒートローラ２ｂが前記被動ヒートローラ２ａに対する受け用の被動ヒートローラとして働き、また下方の被動ヒートローラ２ｂにより長尺状用紙Ｓ1の裏面をラミネートする場合は、上方の被動ヒートローラ２ａが前記被動ヒートローラ２ｂに対する受け用の被動ヒートローラとして働くことになる。
【００２０】
前記のようにフィルムＧが表裏面にラミネートされた長尺状用紙Ｓ1は、前記被動ヒートローラ２ａ、２ｂの下流に配置された一対の駆動ニップローラ３ａ、３ｂ間を牽引されつつ通過する。前記駆動ニップローラ３ａ、３ｂは、それらの間を通過する長尺状用紙Ｓ1を、用紙搬送速度が上流の前記ピントラクタ１のそれと同等又はそれよりやや早めの速度となるように駆動する。一方、前記被動ヒートローラ２ａ、２ｂは、フリーな状態で互いに加圧されているため、それらの間を通過する長尺状用紙Ｓ1を自ら駆動するのではなく、逆に長尺状用紙Ｓ1の通過によって駆動され、通過する長尺状用紙Ｓ1の正確な進行を阻害することなく回転することになる。即ち、フィルムＧが表裏面にラミネートされた長尺状用紙Ｓ1は、前記駆動ニップローラ３ａ、３ｂに挟圧されて搬送方向に牽引され、それによって被動ヒートローラ２ａ、２ｂが回転駆動されると共にフィルムＧが各ロールから繰り出されて長尺状用紙Ｓ1の表裏面と整合される。従って、長尺状用紙Ｓ1の搬送方向や速度は、ピントラクタ１の位置合わせ機構と駆動ニップローラ３ａ、３ｂの牽引力により安定して確保されているので、被動ヒートローラ２ａ、２ｂによるフィルムＧのラミネートに際して長尺状用紙Ｓ1の動きが左右されることがない。
【００２１】
かくして、フィルムＧが表裏面にラミネートされた長尺状用紙Ｓ1は、駆動ニップローラ３ａ、３ｂに牽引されながら下流の工程へと搬送され、必要に応じて、例えば折り畳み、裁断、圧着等の各工程に供される。
【００２２】
なお、前記ピントラクタに代えて、例えばスプロケット等を使用することも可能であるが、そのような位置合わせ用の補助部材としてのピン送り機構は、本発明において必ずしも必要とされるものではなく、例えば単なるサポートローラ等を配置するだけの単純な構成であってもよい。
【００２３】
また、前記のように長尺状用紙Ｓ1の表裏面にフィルムＧをラミネートするに際して、前記のように一対の被動ヒートローラ２ａ、２ｂで、それらの一方を他方の受け用被動ヒートローラとして兼用しつつ、長尺状用紙Ｓ1の表裏面に一挙にラミネートする代わりに、図２に示すように、前記のように長尺状用紙Ｓ1の表面及び裏面にラミネートするための二対の被動ヒートローラ２１ａ、２１ｂ及び２２ａ、２２ｂを個別に配置し、それらによって長尺状用紙Ｓ1の表裏面に段階的にラミネートするように構成することもできる。
【００２４】
さらに、フィルムＧを、前記のように長尺状用紙Ｓ1の表裏面に同時に又は段階的にラミネートする代わりに、長尺状用紙Ｓ1の表裏面の内の片面のみにラミネートするように構成してもよく、その場合、長尺状用紙Ｓ1の表面へのラミネートに際しては、図２に示す一方の対の被動ヒートローラ２１ａ、２１ｂを配置し、また長尺状用紙Ｓ1の裏面へのラミネートに際しては、図２に示す他方の対の被動ヒートローラ２２ａ、２２ｂを配置すればよい。
【００２５】
また、駆動ニップローラ３ａ、３ｂは、搬送される長尺状用紙Ｓ1をその幅方向にわたって全部挟圧する必要はなく、例えばその中央部や片寄った一部分を挟圧するような構成であってもよい。
【００２６】
さらに、例えば前記被動ヒートローラ２ａ、２ｂと駆動ニップローラ３ａ、３ｂとの間や前記被動ヒートローラ２ａ、２ｂと被動ヒートローラ２２ａ、２２ｂとの間に、例えば、フィルムＧがラミネートされた長尺状用紙Ｓ1を、マージナル孔４を含む両外側辺で断裁するためのスリッタや該長尺状用紙Ｓ1にその長さ方向の折り線を形成する折り用ミシン刃等が介設されていても差し支えない。
【００２７】
［枚葉状用紙を用いた場合］
図５に示すように、図中、左側下方に積載された枚葉状用紙Ｓ２が、吸着パッド６０により１枚ずつ吸い上げられて搬送台６２上に等間隔に送り出されると共に給紙ローラ６１ａ、６１ｂにより下流に順次連続的に等間隔で搬送され、既述のようなラミネート工程において、上方及び下方に待機したロールから一対の被動ヒートローラ２ａ、２ｂを介して連続的に繰り出される疑似接着フィルムＧが、枚葉状用紙Ｓ２の表裏面と整合されながら被動ヒートローラ２ａ、２ｂ間を加熱且つ加圧されつつ通過し、それによってフィルムＧがその感熱接着剤層５２を介して枚葉状用紙Ｓ２の表裏面に各々接着されると共にラミネートされ、それによって、連続的に供給される各枚葉状用紙Ｓ２は長尺状態に連結される。
【００２８】
なお、１枚ごとに連続的に供給される枚葉状用紙Ｓ２が前記のようにラミネートされる場合における被動ヒートローラ２ａ、２ｂ及び駆動ニップローラ３ａ、３ｂ等の作用は、連続的に供給される長尺状用紙Ｓ1がラミネートされる既述の場合と基本的に同様である。前記枚葉状用紙Ｓ２を使用する場合も、図２に示す形態のラミネート方法が使用されてもよく、また被動ヒートローラ２ａ、２ｂと駆動ニップローラ３ａ、３ｂとの間に、例えば、フィルムＧがラミネートされると共に長尺状態に連結された枚葉状用紙Ｓ２を、左右側辺で断裁するためのスリッタや該枚葉状用紙Ｓ２にその長さ方向の折り線を形成する折り用ミシン刃等が介設されていても差し支えない。
【符号の説明】
【００２９】
Ｓ１  長尺状用紙
Ｓ２  枚葉状用紙
Ｇ  フィルム
１  ピントラクタ
２ａ、２ｂ、２１ａ、２１ｂ、２２ａ、２２ｂ  被動ヒートローラ
３ａ、３ｂ  駆動ニップローラ
４  マージナル孔
５１  基材
５２  感熱接着剤層
６０  吸着パッド
６１ａ、６１ｂ  給紙ローラ
６２  搬送台
【図１】
2010000786.tif 000003
【図２】
2010000786.tif 000004
【図３】
2010000786.tif 000005
【図４】
2010000786.tif 000006
【図５】
2010000786.tif 000007